(57)【要約】      （修正有）【課題】ハイヒール着用時足前部にかかる圧力を軽減させると共に、趾の摺動を阻止する前部緩衝パッドを提供する。【解決手段】前部緩衝パッド１０であって、可撓性を具備すると共に、前部緩衝パッド１０に突設される緩衝部１１と、前部緩衝パッド１０における緩衝部１１の近傍に突設されるストッパー１２と、ストッパー１２と緩衝部１１との間に設けられる凹入溝１３とを有することを特徴とする。【選択図】図２
0003209029.tif 000002
【実用新案登録請求の範囲】
【請求項１】
前部緩衝パッドであって、可撓性を具備すると共に、
該前部緩衝パッドに突設される緩衝部と、
該前部緩衝パッドにおける前記緩衝部の近傍に突設されるストッパーと、
前記ストッパーと緩衝部との間に設けられる凹入溝とを有する前部緩衝パッド。
【請求項２】
前記緩衝部は、前記緩衝部の内部に設けられるエアパッドを有すると共に、
前記ストッパーは、前記ストッパーの内部に設けられるエアパッドを有する請求項１に記載の前部緩衝パッド。
【請求項３】
さらに連通路を有し、
該連通路は、前記凹入溝に設けられ、前記緩衝部のエアパッドと連通されると共に、前記ストッパーのエアパッドとも連通される請求項２に記載の前部緩衝パッド。
【請求項４】
さらに凹入口を有し、
該凹入口は、前記ストッパーにおける、前記緩衝部と対向する辺に設けられる請求項１ないし請求項３の何れか一項に記載の前部緩衝パッド。
【請求項５】
熱可塑性ポリウレタンからなることを特徴とする請求項４に記載の前部緩衝パッド。
【考案の詳細な説明】
【技術分野】
【０００１】
本考案は、履き物の中敷きに関するものであり、特に履き物の内部に敷く前部緩衝パッドに関するものである。
【背景技術】
【０００２】
現代人にとって、履き物を着用することは、単なる足裏と床の塵や埃との接触を防止するものだけでなく、イベントや場合に応じて、スリッパー、サンダル、靴、ジョギングシューズ、カジュアルシューズ、レインシューズ、およびハイヒールなどを持ち合わせているのは普通である。その内、後部が前部より高いハイヒールを着用することで、持ち上げられる踵部は、身長が高くなるように見せ、プロポーションを伸ばせ、姿勢をスラリとすると共に、ボディーラインを強調することができるので、女性に頗る人気がある。
【先行技術文献】
【特許文献】
【０００３】
【特許文献１】台湾実用新案第Ｍ５０３１２２号
【考案の概要】
【考案が解決しようとする課題】
【０００４】
しかしながら、ハイヒールは、女性の美をさらに表現することができる同時に、体の重心が前へ傾げてしまい、女性を爪先立ちで行動しなくてはならないように苦しめるものであるので、中足骨に体重からの圧力がかかってしまい、中足骨骨頭部痛や、炎症などを起こすのみならず、足の摺動で趾が靴の前部へ押し込まれ、外反母趾、創傷、またはタコに繋がる。
【０００５】
前記ハイヒールを着用する女性が直面する問題を解決するために、例えば特許文献１に記載のハイヒール用インソールの構成は、ソールの緩衝層および柔軟性を向上させると共に、ハイヒールの着用感を快適にすることができるが、このハイヒールのソール構成の厚さが増大してしまうことから、靴本体の内部空間が狭くなり、力任せに足を押し込まないと、容易にこのハイヒールを履くすることが出来なかっただけでなく、趾の摺動阻止できない。さらに、各種類のハイヒールに適用される該インソールの構成は互いに異なるので、互いに交換することができなかった。
【０００６】
そこで、案出されたのが本考案であって、ハイヒール着用時足前部にかかる圧力を軽減させると共に、趾の摺動を阻止する前部緩衝パッドを提供することを目的としている。
【課題を解決するための手段】
【０００７】
本願の請求項１の考案は、前部緩衝パッドであって、可撓性を具備すると共に、
該前部緩衝パッドに突設される緩衝部と、
該前部緩衝パッドにおける前記緩衝部の近傍に突設されるストッパーと、
前記ストッパーと緩衝部との間に設けられる凹入溝とを有する前部緩衝パッド、を提供する。
【０００８】
本願の請求項２の考案は、前記緩衝部は、前記緩衝部の内部に設けられるエアパッドを有すると共に、
前記ストッパーは、前記ストッパーの内部に設けられるエアパッドを有する請求項１に記載の前部緩衝パッド、を提供する。
【０００９】
本願の請求項３の考案は、さらに連通路を有し、
該連通路は、前記凹入溝に設けられ、前記緩衝部のエアパッドと連通されると共に、前記ストッパーのエアパッドとも連通される請求項２に記載の前部緩衝パッド、を提供する。
【００１０】
本願の請求項４の考案は、さらに凹入口を有し、
該凹入口は、前記ストッパーにおける、前記緩衝部と対向する辺に設けられる請求項１ないし請求項３の何れか一項に記載の前部緩衝パッド、を提供する。
【００１１】
本願の請求項５の考案は、熱可塑性ポリウレタン（ｔｈｅｍｏｐｌａｓｔｉｃ  ｐｏｌｙｕｒｅｔｈａｎｅ、ＴＰＵ）からなることを特徴とする請求項４に記載の前部緩衝パッド、を提供する。
【考案の効果】
【００１２】
本考案に係る前部緩衝パッドは、人体の中足骨における趾骨の母趾球の近傍に対応する形状を有し、前記ストッパーは体の趾骨に対応し、使用者の趾の湾曲箇所に沿って、ハイヒール着用時足前部にかかる圧力および不快感を軽減させ、使用者の趾が重心の前傾げで前端へ摺動させないようにすることができる。本考案に係る前部緩衝パッドは、可撓性を有し、前記凹入溝に沿って湾曲することができ、ハイヒールの持ち上げ構成に符合する同時に、靴本体の内部空間に位置する使用者の足をも快適にすることができる。前記緩衝部のエアパッド及び前記ストッパーのエアパッドは、歩く時における地面とまたはソールとの作用力を緩衝するものである。前記構成を有するので、本発明は、ハイヒール着用時足前部にかかる圧力を軽減させると共に、趾の摺動を阻止する前部緩衝パッドを提供することができる。
【図面の簡単な説明】
【００１３】
【図１】本考案に係る前部緩衝パッドの第一実施例を示す斜視図である。
【図２】本考案に係る前部緩衝パッドの第二実施例を示す斜視図である。
【図３】本考案に係る前部緩衝パッドの第二実施例の使用状態を示す斜視図である。
【図４】本考案に係る前部緩衝パッドの第二実施例の使用状態を示す一部側面断面図である。
【考案を実施するための形態】
【００１４】
図１に示すように、本考案の第一実施例に係る前部緩衝パッド１０は、可撓性を具備すると共に、緩衝部１１と、ストッパー１２と、凹入溝１３とを有する。該緩衝部１１は、該前部緩衝パッド１０に突設される。該緩衝部１１は、人体の中足骨における趾骨の母趾球の近傍に対応する形状を有する。該ストッパー１２は、該前部緩衝パッド１０における前記緩衝部１１の近傍に突設される。該ストッパー１２は、三日月形を呈すると共に、人体の趾骨の位置に対応するものである。前記凹入溝１３は、前記緩衝部１１とストッパー１２との間に設けられる。具体な実施例において、前記前部緩衝パッド１０は、熱可塑性ポリウレタンからなるものである。
【００１５】
図２に示すように、本考案の第二実施例に係る前部緩衝パッド１０は、前記第一実施例とは略同様であるが、前記緩衝部１１は、前記緩衝部１１の内部に設けられるエアパッド１１１を有すると共に、前記ストッパー１２は、前記ストッパー１２の内部に設けられるエアパッド１２１を有する請求項１に記載の前部緩衝パッド。さらなる具体にいうと、この前部緩衝パッド１０は、さらに連通路１４と、凹入口１５とを有する。該連通路１４は、前記凹入溝１３に設けられる。前記緩衝部１１のエアパッド１１１は、該連通路１４をかいして、前記ストッパー１２のエアパッド１２１と連通される。該凹入口１５は、前記ストッパー１２における、前記緩衝部１１と対向する辺に設けられると共に、人体の母趾の趾骨間関節の位置に対応する。具体な実施例において、該前部緩衝パッド１０は、高周波プレス封止工程で成形されるものである。
【産業上の利用可能性】
【００１６】
図３および図４に示すように、前記本考案の第二実施例に係る前部緩衝パッド１０をハイヒールの内部に於ける足前部に対応する箇所に配置すれば、使用者が該前部緩衝パッド１０が設けられるハイヒールを着用する時、該緩衝部１１のエアパッド１１１は、使用者の中足骨に係る圧力を軽減する同時に、該ストッパー１２が使用者の趾の湾曲箇所に沿って、足前部にかかる圧力および不快感を軽減させ、使用者の趾が重心の前傾げで前端へ摺動させないようにすることができる。該前部緩衝パッド１０は可撓性を有するので、該凹入溝１３に沿って湾曲することができることから、使用者の足前部に空間的な余裕を与える。また、他の具体実施例において、本考案に係る前部緩衝パッド１０が、中敷きに凹設され、中敷きの内部に設けられ、または中敷きの下面に設けられるものであってもよい。
【００１７】
以上は本考案における好適な実施方式に関する説明であり、本考案に対してあらゆる制限するものではない。当業者が本考案の技術特徴を逸脱していない範囲内において、本考案に開示した技術内容に対して局部の変更または修飾により作成した同等な実施例であっても、本考案の技術特徴の範囲に属するものである。
【符号の説明】
【００１８】
１０        前部緩衝パッド
１１        緩衝部
１１１      エアパッド
１２        ストッパー
１２１      エアパッド
１３        凹入溝
１４        連通路
１５        凹入口
【図１】
0003209029.tif 000003
【図２】
0003209029.tif 000004
【図３】
0003209029.tif 000005
【図４】
0003209029.tif 000006